(57)【要約】【課題】複数の印刷を行う場合においても、ユーザに操作性のよい環境を提供することができる印刷方法、印刷装置、印刷プログラム及び記憶媒体を提供する。【解決手段】プリンタドライバに対する印刷属性の能力の問い合わせが行われ、この問い合わせにより取得した印刷属性の能力が表示され、該表示されたドライバの印刷属性の能力から、ユーザによって指定された所定の要素が印刷設定用の表示設定データとして保存され、この保存された表示設定データに基づき印刷設定の表示が行われ、印刷設定が行われるので、従来のように、いずれのサービスの印刷設定においても常に同じ用紙リストが表示されてしまうという点や必要のない用紙サイズまで表示されて、操作性が悪くなる点を解消することができる。【選択図】      図３
2004240585.tif 000002
【特許請求の範囲】
【請求項１】
印刷装置に組み込まれたドライバの能力を利用して印刷を行う印刷方法において、
前記ドライバへ印刷属性の能力を問い合わせ、この問い合わせにより取得した印刷属性の能力を表示し、前記表示されたドライバの印刷属性の能力から、ユーザによって指定された所定の要素を印刷設定用の表示設定データとして保存する表示設定ステップと、
前記表示設定ステップで保存された表示設定データに基づき印刷設定の表示を行い、印刷設定を行う印刷設定ステップと
を有することを特徴とする印刷方法。
【請求項２】
前記表示設定ステップでは複数の表示設定データを保存し、前記印刷設定ステップでは前記保存された複数の表示設定データに対応した複数の印刷設定を行うことを特徴とする請求項１に記載の印刷方法。
【請求項３】
前記表示設定ステップでは前記印刷属性として前記ドライバの用紙サイズを表示設定データとして保存し、前記印刷設定ステップでは、前記保存された用紙サイズの表示設定データに基づき印刷設定を行うことを特徴とする請求項１又は２に記載の印刷方法。
【請求項４】
前記表示設定ステップでは、前記印刷属性として前記ドライバの用紙種類を表示設定データとして保存し、前記印刷設定ステップでは、前記保存された用紙種類の表示設定データに基づき印刷設定を行うことを特徴とする請求項１乃至３のいずれか１つに記載の印刷方法。
【請求項５】
前記表示設定ステップでは、前記印刷属性として前記ドライバの印字品質を表示設定データとして保存し、前記印刷設定ステップでは、前記保存された印字品質の表示設定データに基づき印刷設定を行うことを特徴とする請求項１乃至４のいずれか１つに記載の印刷方法。
【請求項６】
組み込まれたドライバの能力を利用して印刷を行う印刷装置において、前記ドライバへ印刷属性の能力を問い合わせ、この問い合わせにより取得した印刷属性の能力を表示し、前記表示されたドライバの印刷属性の能力から、ユーザによって指定された所定の要素を印刷設定用の表示設定データとして保存する表示設定手段と、前記表示設定手段で保存された表示設定データに基づき印刷設定の表示を行い、印刷設定を行う印刷設定手段とを有することを特徴とする印刷装置。
【請求項７】
組み込まれたドライバの能力を利用して印刷を行う印刷装置に使用される印刷プログラムにおいて、前記ドライバへ印刷属性の能力を問い合わせ、この問い合わせにより取得した印刷属性の能力を表示し、前記表示されたドライバの印刷属性の能力から、ユーザによって指定された所定の要素を印刷設定用の表示設定データとして保存する表示設定ステップと、前記表示設定ステップで保存された表示設定データに基づき印刷設定の表示を行い、印刷設定を行う印刷設定ステップとを前記印刷装置に実行させることを特徴とする印刷プログラム。
【請求項８】
組み込まれたドライバの能力を利用して印刷を行う印刷装置に使用される印刷プログラムを格納した記憶媒体において、
前記印刷プログラムは、前記ドライバへ印刷属性の能力を問い合わせ、この問い合わせにより取得した印刷属性の能力を表示し、前記表示されたドライバの印刷属性の能力から、ユーザによって指定された所定の要素を印刷設定用の表示設定データとして保存する表示設定ステップと、前記表示設定ステップで保存された表示設定データに基づき印刷設定の表示を行い、印刷設定を行う印刷設定ステップとを前記印刷装置に実行させることを特徴とする記憶媒体。
【発明の詳細な説明】
【０００１】
【発明の属する技術分野】
本発明は、デジタル画像を印刷する印刷方法、印刷装置、印刷プログラム及び記憶媒体に関し、より詳細には、店舗業務において、顧客にデジタルプリントサービスを提供する、ホストベースのデジタルプリントシステムに適用される印刷方法、印刷装置、印刷プログラム及び記憶媒体に関する。
【０００２】
【従来の技術】
近年、デジタルカメラの普及とともに、パーソナルコンピュータとプリンタを用いたデジタル出力環境が整備されている。ラボ店やプリントショップなどでも、単純な同時プリントサービスから、大伸ばしや、テンプレートを用いた付加価値印刷、証明写真印刷、又は名刺印刷サービス等の、デジタル処理ならではの即時性や多様性を生かした付加価値プリントサービスが広がりをみせている。
【０００３】
デジタル画像を利用したデジタルプリントサービスは今後も増加が見込まれている。このため、従来銀塩写真サービスを行っていたミニラボ店においても、機器をデジタル処理対応のものにリプレースし、デジタルプリントサービスを提供できるように業務形態を急速に変化させている。
【０００４】
このような背景の中、顧客が持ち込んだデジタル画像データを一旦オーダーデータとして受け付け、オーダーの管理を行い、店舗オペレータが顧客の注文内容に応じた印刷を行う、オーダーデータをベースとしたワークフローを行うデジタルプリントシステムがある。このようなデジタルプリントシステムでは、導入コストや拡張性の面から汎用のパーソナルコンピュータを用いたものが多く用いられている。パーソナルコンピュータをベースにしたシステムでは、プリンタドライバを備えるオペレーティングシステム上に、デジタルプリントサービスを行うアプリケーションソフトウェアを導入することによってサービスが実現される。従来、アプリケーションソフトウェアを用いて印刷を設定する場合、プリンタドライバが表示する専用のプロパティダイアログを表示して印刷設定を行うか、又はプリンタドライバに任意の印刷属性の能力を問い合わせ、アプリケーション側で印刷設定用の専用ＧＵＩを作成して、問い合わせた能力の表示を行い、印刷設定ダイアログに表示して設定を行っていた。
【０００５】
例えば、Ｍｉｃｒｏｓｏｆｔ  Ｗｏｒｄ  ２０００（Ｍｉｃｒｏｓｏｆｔ：登録商標）では、用紙サイズ設定機能（［ファイル］−＞［ページ設定］−＞［用紙サイズ］タブ）にて表示される用紙サイズリストは、プリンタドライバへ選択可能な用紙サイズを問い合わせて表示させたものである。この仕組みは具体的には  Ｍｉｃｒｏｓｏｆｔ  Ｗｉｎｄｏｗｓ（登録商標）  ＯＳ  Ｗｉｎ３２  ＡＰＩ  （Ｗｉｎｄｏｗｓ（登録商標））によって実現されている。ユーザは、表示された用紙リストから任意の用紙を選択する。現在、前述のように、アプリケーションからプリンタドライバへ情報を問い合わせて、印刷属性の情報を表示する方法は、Ｍｉｃｒｏｓｏｆｔ  Ｗｉｎｄｏｗｓ（登録商標）  ＯＳ上で実行されるアプリケーションの一般的なＧＵＩである。
【０００６】
また、印刷サービスに関連した例として、例えば、アプリケーションとは別ファイルとして予め記憶されたサービス項目（例えばプリント可能なサイズ）を画面上に表示し、ユーザがその表示に基づいてサービス項目を選択し、印刷注文を行う方法が知られている（例えば、特許文献１参照）。これは、サービス項目が記述されたファイルをアプリケーションとは別ファイルとして管理することで、アプリケーションのバージョンアップなしに、その時点で提供されているサービス内容を容易に更新することができるものである。
【０００７】
【特許文献１】
特開平１１−１３４４００号公報
【０００８】
【発明が解決しようとする課題】
上述したように、従来のホストベースのデジタルプリントシステムを実現する印刷アプリケーションによる印刷設定では、プリンタドライバから取得される能力、例えば用紙リスト情報をそのまま表示していた。プリンタドライバのプロパティではなく、アプリケーション内に組み込まれたＧＵＩという観点からは操作性が向上していたが、印刷アプリケーションに複数のプリントサービスがあり、実運用されるサービス毎に異なる用紙サイズのみをサービスするといった場合、いずれのサービスの印刷設定においても常に同じ用紙リストが表示されてしまうという欠点があった。
【０００９】
例えば、サービスとして同時プリント、大伸ばしの２のサービスを想定する。同時プリントサービスでは、Ｌ判および２Ｌ判、大伸ばしサービスは、Ａ４および六切サイズのサービスであるとする。このようなサービスを提供する状況で、プリンタドライバでサポートする全ての用紙サイズを常に表示して設定していたのでは、必要のない用紙サイズまで表示され、選択操作性が悪くなるばかりでなく、マウスクリックの少しの位置の間違いで選択の間違いも起きる場合があった。このため、実際のプリントサービスを行う店舗業務を考慮した場合に、汎用のプリンタドライバの能力をそのまま表示するのでは、操作性のよい印刷システムとはいえない場合があった。
【００１０】
本発明は、このような問題に鑑みてなされたもので、複数の印刷を行う場合においても、ユーザに操作性のよい環境を提供することができる印刷方法、印刷装置、印刷プログラム及び記憶媒体を提供することを目的とする。
【００１１】
【課題を解決するための手段】
本発明は、上記目的を達成するために、請求項１に記載の印刷方法は、印刷装置に組み込まれたドライバの能力を利用して印刷を行う印刷方法において、前記ドライバへ印刷属性の能力を問い合わせ、この問い合わせにより取得した印刷属性の能力を表示し、前記表示されたドライバの印刷属性の能力から、指定された所定の要素を印刷設定用の表示設定データとして保存する表示設定ステップと、前記表示設定ステップで保存された表示設定データに基づき印刷設定の表示を行い、印刷設定を行う印刷設定ステップとを有することを特徴とする。
【００１２】
請求項２に記載の印刷方法は、請求項１に記載の印刷方法において、前記表示設定ステップでは複数の表示設定データを保存し、前記印刷設定ステップでは前記保存された複数の表示設定データに対応した複数の印刷設定を行うことを特徴とする。
【００１３】
請求項３に記載の印刷方法は、請求項１又は２に記載の印刷方法において、前記表示設定ステップでは前記印刷属性として前記ドライバの用紙サイズを表示設定データとして保存し、前記印刷設定ステップでは、前記保存された用紙サイズの表示設定データに基づき印刷設定を行うことを特徴とする。
【００１４】
請求項４に記載の印刷方法は、請求項１乃至３のいずれか１つに記載の印刷方法において、前記表示設定ステップでは、前記印刷属性として前記ドライバの用紙種類を表示設定データとして保存し、前記印刷設定ステップでは、前記保存された用紙種類の表示設定データに基づき印刷設定を行うことを特徴とする。
【００１５】
請求項５に記載の印刷方法は、請求項１乃至４のいずれか１つに記載の印刷方法において、前記表示設定ステップでは、前記印刷属性として前記ドライバの印字品質を表示設定データとして保存し、前記印刷設定ステップでは、前記保存された印字品質の表示設定データに基づき印刷設定を行うことを特徴とする。
【００１６】
請求項６に記載の印刷装置は、組み込まれたドライバの能力を利用して印刷を行う印刷装置において、前記ドライバへ印刷属性の能力を問い合わせ、この問い合わせにより取得した印刷属性の能力を表示し、前記表示されたドライバの印刷属性の能力から、ユーザによって指定された所定の要素を印刷設定用の表示設定データとして保存する表示設定手段と、前記表示設定手段で保存された表示設定データに基づき印刷設定の表示を行い、印刷設定を行う印刷設定手段とを有することを特徴とする。
【００１７】
請求項７に記載の印刷プログラムは、組み込まれたドライバの能力を利用して印刷を行う印刷装置に使用される印刷プログラムにおいて、前記ドライバへ印刷属性の能力を問い合わせ、この問い合わせにより取得した印刷属性の能力を表示し、前記表示されたドライバの印刷属性の能力から、ユーザによって指定された所定の要素を印刷設定用の表示設定データとして保存する表示設定ステップと、前記表示設定ステップで保存された表示設定データに基づき印刷設定の表示を行い、印刷設定を行う印刷設定ステップとを前記印刷装置に実行させることを特徴とする。
【００１８】
請求項８に記載の記憶媒体は、組み込まれたドライバの能力を利用して印刷を行う印刷装置に使用される印刷プログラムを格納した記憶媒体において、前記印刷プログラムは、前記ドライバへ印刷属性の能力を問い合わせ、この問い合わせにより取得した印刷属性の能力を表示し、前記表示されたドライバの印刷属性の能力から、ユーザによって指定された所定の要素を印刷設定用の表示設定データとして保存する表示設定ステップと、前記表示設定ステップで保存された表示設定データに基づき印刷設定の表示を行い、印刷設定を行う印刷設定ステップとを前記印刷装置に実行させることを特徴とする。
【００１９】
【発明の実施の形態】
以下、本発明の実施の形態について図面を参照して説明する。
【００２０】
図１は、本発明の印刷方法を適用した印刷システムの概略構成を示すブロック図である。
【００２１】
同図において、符号１０１は、ホストに登録されているプリンタドライバを示し、例えばドライバ１からドライバＤまでの複数のドライバが登録されていることを示す。符号１０２は、ＧＵＩに表示されている論理プリンタを示し、プリンタ１からプリンタＰまでの複数のプリンタが登録されていることを示す。１つの論理プリンタ１０２は、１つのプリンタドライバ１０１と関連付けられる。例えば、論理プリンタ１ｂ，３ｂをプリンタドライバ１ａに関連付けることは可能である。即ち、１つのプリンタドライバは、複数の論理プリンタと関連付けることも可能である。この論理プリンタとプリンタドライバとを関連付ける機能は、プリンタドライバ及び論理プリンタを管理するオペレーティングシステムによって提供されている。符号１０３は、サービス１ｃからサービスＳｃまでごとに、論理プリンタの印刷能力表示の設定を行う表示設定部である。１つのサービスは１つの論理プリンタと関連付けられ、この関連付けは、印刷アプリケーションが行う。符号１０４は、表示設定部１０３によって保存されるサービス毎の表示設定データである。符号１０５は、サービス毎に保存されていた表示設定データ１０４を読み取り、サービス毎の印刷設定を行う印刷設定部である。
【００２２】
表示設定手段１０３における任意のサービスＳｃ、表示設定データ１０４における任意のサービスＳｃの設定データ、印刷設定手段１０５における任意のサービスＳｃは全て同じサービスＳｃである。
【００２３】
図２は、本発明の印刷方法を実現する印刷システムのハードウェア構成を示すブロック図である。
【００２４】
同図において、符号２０１は、演算及び制御用の中央演算処理部（ＣＰＵ）である。符号２０２は、オーダー管理、画像入力、画像データ編集、レイアウト編集、及び同時プリント等のサービスアプリケーション、並びに印刷描画用のプログラムが格納されたＲＯＭである。符号２０３は、オーダー管理、画像入力、画像データ編集、レイアウト編集、及び同時プリント等のサービスアプリケーション、又は印刷描画用プログラムが実行される場合に、プログラムがロードされる実行領域、及びプログラムの作業領域が確保されるＲＡＭである。符号２０４は、オペレーターが操作やデータ入力を行うためのキーを有するキーボードである。符号２０５は、ディスプレイ２０６に表示された指示アイコンをクリックしたり、カーソルを移動して操作の指示を行うマウスなどのポィンティングデバイスである。符号２０７は、オーダー管理データ、画像データやレイアウト編集データ、プログラム、あるいは印刷用スプールデータや表示設定データ１０４、図１におけるプリンタドライバを格納する記憶装置（ハードディスク（ＨＤ））である。ディスプレイ２０６はタッチパネルでもよい。
【００２５】
符号２０８は、外部画像処理装置とのデータ交換や、画像データ及びプログラムが格納される、フロッピィー（登録商標）ディスクや光磁気ディスク（ＭＯ）などのリムーバブルメディアである。符号２０９は印刷装置（プリンタ）であり、符号２１０は、デジタル画像の入力を行うフィルムスキャナーやデジタルカメラ等のデジタル画像の入力デバイスである。符号２１１は印刷システム内の各デバイスを相互に接続するバスである。
【００２６】
尚、図１における表示設定手段１０３や印刷設定部１０５は、ＣＰＵ２０１、ＲＡＭ２０３、ＨＤ２０７及びディスプレイ２０６により構成される。
【００２７】
また、プリンタドライバ、論理プリンタを関連付ける機能はＯＳによって提供されている。例えば、Ｗｉｎｄｏｗｓ（登録商標）２０００であれば、［スタート］−＞［設定］−＞［プリンタ］フォルダウィンドウ及びそのウィンドウメニューの［ファイル］−＞［サーバーのプロパティ］−＞［ドライバ］によってその機能を確認できる。プリンタフォルダ内に表示されるプリンタは論理プリンタであり、この論理プリンタはどのプリンタドライバを利用しているかという［ドライバ］の関連付けがＯＳによって管理されている。
【００２８】
図３は、図１における表示設定部１０３で実行される表示設定処理を示すフローチャートである。
【００２９】
ユーザが表示設定を開始すると、表示設定部１０３はプリンタドライバから任意の印刷属性の能力リストを取得する（ステップＳ３０１）。印刷属性は、用紙サイズや用紙種類等である。表示設定部１０３で取得された能力リストに基づき、ユーザは表示項目の設定を行う（ステップＳ３０２）。表示項目の設定を行うＧＵＩの具体例は、後述する図４及び図５に示す。ユーザがステップＳ３０２で設定した表示情報はデータとして記憶装置２０７に保存され（ステップ３０３）、表示設定処理を終了する。
【００３０】
図４は、サービス毎に表示設定をするためのダイアログの一例を示す図である。
【００３１】
同図に示すダイアログは、サービスが同時プリントであり（４０１）、論理プリンタ１０２がＰｒｉｎｔｅｒＡ（４０２）として設定されていることを示す。ダイアログの表示設定には、具体的な用紙サイズを設定する用紙サイズボタン４０３、具体的な用紙種類を設定する用紙種類ボタン４０４がある。
【００３２】
図５は、図４における用紙サイズボタン４０３が押下された場合に、ディスプレイ２０６に表示される用紙サイズ表示設定ダイアログの一例を示す図である。
【００３３】
同図に示す用紙サイズ表示設定ダイアログは、サービスの設定が同時プリントであり、プリンタの設定がＰｒｉｎｔｅｒＡの場合の例である（５０１）。
【００３４】
用紙サイズ表示設定ダイアログは、ステップＳ３０１にて取得したプリンタドライバが保持する用紙サイズのリスト５０２と、印刷設定部１０５において表示を行う用紙サイズのリスト５０３と、プリンタの用紙サイズ５０２のうち、任意に指定した用紙サイズを、印刷設定で表示する用紙サイズのリスト５０３に追加する機能を有する追加ボタン５０４と、リスト５０３から任意の用紙サイズを削除する削除ボタン５０５とを備えている。
【００３５】
プリンタドライバが保持する用紙サイズのリスト５０２から任意の用紙サイズが選択され、追加ボタン５０４が押下された場合には、リスト５０３に該選択された用紙が表示され、リスト５０２からは削除される。これに対して、リスト５０３における任意の用紙サイズが選択され、削除ボタン５０５が押下された場合には、リスト５０２に該選択された用紙が表示され、リスト５０３からは削除される。
【００３６】
用紙サイズ表示設定ダイアログは、さらに、リスト５０２，５０３の設定を保存して当該ダイアログを閉じる「閉じる」ボタン５０６と、該設定を初期状態にリセットする「リセット」ボタン５０７と、リスト５０３に表示される項目の表示順序を指定するボタンである「上へ」ボタン５０８及び「下へ」ボタン５０９とを備えている。尚、初期状態とは、例えば、リスト５０３に表示される任意の用紙サイズが全く無い状態又はリスト５０２にプリンタドライバが保持する用紙サイズが全て表示される状態である。
【００３７】
図６は、図１における表示設定データ１０４を構成するデータ要素の一例を示す図である。
【００３８】
表示設定データ１０４は、サービス名６０１と、論理プリンタ名称６０２と、印刷属性６０３，６０４とを備えている。
【００３９】
同図においては、サービス名６０１は同時プリントであり、論理プリンタ名称６０２はＰｒｉｎｔｅｒＡであり、印刷属性６０３は用紙サイズであり、用紙サイズにおいて表示設定された項目の個数を示す項目数は‘２’であり、具体的にはＬ判、２Ｌ判が表示設定されており、印刷属性６０４は用紙種類であり、用紙種類において表示設定された項目の個数を示す項目数は‘１’であり、具体的には光沢紙が表示設定されている。
【００４０】
図７は、図１における印刷設定部１０５が実行する処理を示すフローチャートである。
【００４１】
印刷設定処理が開始されると、表示設定部１０３によって保存された、図６に示した表示設定データ１０４が取得される（ステップＳ７０１）。この取得した表示設定データに基づき、印刷設定の表示を行い、オペレーターにより設定が行われ（ステップＳ７０２）、印刷設定処理を終了する。
【００４２】
図８は、複数の論理プリンタと複数のサービスとで表示設定が行われた場合の設定の組み合わせ例を示す図である。
【００４３】
符号８０１はＰｒｉｎｔｅｒＡのプリンタドライバの用紙サイズ能力を示し、ＰｒｉｎｔｅｒＡがＬ判、２Ｌ判、ＫＧ、Ａ４、六切、Ｌ判ふちなし、２Ｌ判ふちなし、ＫＧふちなし、Ａ４ふちなし、及び六切ふちなしのサイズの用紙に印刷することができることを示す。
【００４４】
同様に、符号８０２はＰｒｉｎｔｅｒＢのプリンタドライバの用紙サイズ能力を示し、ＰｒｉｎｔｅｒＢがＬ判、Ｌ判ふちなし、及びＣＤサイズの用紙に印刷することができることを示す。符号８０３はＰｒｉｎｔｅｒＣのプリンタドライバの用紙サイズ能力を示し、ＰｒｉｎｔｅｒＣがＡ４、Ａ３、Ａ２のサイズの用紙に印刷することができることを示す。
【００４５】
このような構成の各論理プリンタにおいて、符号８０４は、同時プリントサービスとして、論理プリンタ＝ＰｒｉｎｔｅｒＡがＬ判ふちなし及び２Ｌ判ふちなしのサイズの用紙に印刷することが表示設定されているを示し、符号８０５は、大伸ばしサービスとして、論理プリンタ＝ＰｒｉｎｔｅｒＣがＡ３及びＡ２のサイズの用紙に印刷することが表示設定されているを示し、符号８０６は、インデックスサービスとして、論理プリンタ＝ＰｒｉｎｔｅｒＢがＣＤサイズの用紙に印刷することが表示設定されているを示す。この設定例は、ある店舗の例であり、もちろん他の店舗においては、別の組み合わせもある。また、本実施の形態では、用紙サイズの表示設定例を示したが、プリンタドライバより取得可能な任意の印刷属性の能力を表示設定できるようにしてもよい。
【００４６】
上述したように、本実施の形態によれば、プリンタドライバに対する印刷属性の能力の問い合わせが行われ、この問い合わせにより取得した印刷属性の能力が表示され、該表示されたドライバの印刷属性の能力から、ユーザによって指定された所定の要素が印刷設定用の表示設定データとして保存され、この保存された表示設定データに基づき印刷設定の表示が行われ、印刷設定が行われるので、従来のように、いずれのサービスの印刷設定においても常に同じ用紙リストが表示されてしまうという点や必要のない用紙サイズまで表示されて、操作性が悪くなる点を解消することができる。即ち、複数の印刷を行う場合においても、ユーザに操作性のよい環境を提供することができる。特に、デジタルプリントサービスを行う店舗において、定型業務を操作性よく行うことができ、複数のサービスを行う場合には、サービス毎に用紙サイズが表示指定できるため、操作性が向上する。
【００４７】
本発明は、上述した実施の形態の機能を実現するソフトウェアのプログラムをコンピュータ又はＣＰＵに供給し、そのコンピュータ又はＣＰＵが該供給されたプログラムを読出して実行することによっても本発明の目的が達成されることは云うまでもない。
【００４８】
この場合、上記プログラムは、不図示の該プログラムを記録した記録媒体から直接、又はインターネット、商用ネットワーク、若しくはローカルエリアネットワーク等に接続される不図示の他のコンピュータやデータベース等からダウンロードすることにより供給される。
【００４９】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。
【００５０】
更にまた、上述した実施の形態の機能を実現するソフトウェアのプログラムを記録した記録媒体をコンピュータに供給し、そのコンピュータが記録媒体に格納されたプログラムを読出し実行することによっても、本発明の目的が達成されることは云うまでもない。
【００５１】
プログラムを供給する記録媒体としては、例えば、ＲＡＭ、ＮＶ−ＲＡＭ、フロッピー（登録商標）ディスク、光ディスク、光磁気ディスク、ＣＤ−ＲＯＭ、ＭＯ、ＣＤ−ＲＯＭ、ＣＤ−ＲＷ、ＤＶＤ（ＤＶＤ−ＲＯＭ、ＤＶＤ−ＲＡＭ、ＤＶＤ−ＲＷ、ＤＶＤ＋ＲＷ）、磁気テープ、不揮発性のメモリカード、他のＲＯＭ等の上記プログラムを記憶できるものであればよい。
【００５２】
【発明の効果】
以上詳細に説明したように、請求項１記載の印刷方法によれば、ドライバに対する印刷属性の能力の問い合わせが行われ、この問い合わせにより取得した印刷属性の能力が表示され、該表示されたドライバの印刷属性の能力から、ユーザによって指定された所定の要素が印刷設定用の表示設定データとして保存され、この保存された表示設定データに基づき印刷設定の表示が行われ、印刷設定が行われるので、従来のように、いずれのサービスの印刷設定においても常に同じ用紙リストが表示されてしまうという点や必要のない用紙サイズまで表示されて、操作性が悪くなる点を解消することができる。即ち、複数の印刷を行う場合においても、ユーザに操作性のよい環境を提供することができる。特に、デジタルプリントサービスを行う店舗において、定型業務を操作性よく行うことができ、複数のサービスを行う場合には、サービス毎に用紙サイズが表示指定できるため、操作性が向上する。
【００５３】
請求項３記載の印刷方法によれば、用紙サイズの設定の操作性が向上するという効果を奏する。
【００５４】
請求項４記載の印刷方法によれば、用紙種類の設定の操作性が向上するという効果を奏する。
【００５５】
請求項５記載の印刷方法によれば、印字品質の設定の操作性が向上するという効果を奏する。
【図面の簡単な説明】
【図１】本発明の印刷方法を適用した印刷システムの概略構成を示すブロック図である。
【図２】本発明の印刷方法を実現する印刷システムのハードウェア構成を示すブロック図である。
【図３】図１における表示設定部１０３で実行される表示設定処理を示すフローチャートである。
【図４】サービス毎に表示設定をするためのダイアログの一例を示す図である。
【図５】図４における用紙サイズボタン４０３が押下された場合に、ディスプレイ２０６に表示される用紙サイズ表示設定ダイアログの一例を示す図である。
【図６】図１における表示設定データ１０４を構成するデータ要素の一例を示す図である。
【図７】図１における印刷設定部１０５が実行する処理を示すフローチャートである。
【図８】複数の論理プリンタと複数のサービスとで表示設定が行われた場合の設定の組み合わせ例を示す図である。
【符号の説明】
１０１  プリンタドライバ
１０２  論理プリンタ
１０３  表示設定部
１０４  表示設定データ
１０５  印刷設定部
２０１  ＣＰＵ
２０２  ＲＯＭ
２０３  ＲＡＭ
２０４  キーボード
２０５  ポィンティングデバイス
２０７  ハードディスク（ＨＤ）
２０９  プリンタ
【図１】
2004240585.tif 000003
【図２】
2004240585.tif 000004
【図３】
2004240585.tif 000005
【図４】
2004240585.tif 000006
【図５】
2004240585.tif 000007
【図６】
2004240585.tif 000008
【図７】
2004240585.tif 000009
【図８】
2004240585.tif 000010